(57)【特許請求の範囲】
【請求項１】
取付部と連結部を有する一側金具と、取付部と連結部を有する他側金具と、下部分と上部分が回転自在に連結された軸部品を有し、この軸部品の下部分を一側金具の連結部に支承すると共に、上部分を他側金具の連結部に支承して一側金具と他側金具を回動自在に連結し、前記一側金具の連結部及び他側金具の連結部が軸部品に対して移動可能又は前記他側金具の連結部が軸部品に対して移動可能としたヒンジ、
前記軸部品の下部分に取付けられて、その下部分と一側金具の連結部を覆う一側カバー、
前記軸部品の上部分に取付けられて、その上部分と他側金具の連結部を覆う他側カバー、を備え、
前記一側カバー及び他側カバーが一側金具の連結部、他側金具の連結部に対してそれぞれ移動可能又は他側カバーが他側金具の連結部に対して移動可能であることを特徴とするヒンジ装置。
【請求項２】
取付部と連結部を有する一側金具と、取付部と連結部を有する他側金具と、下部分と上部分が回転自在に連結された軸部品を有し、この軸部品の上部分を一側金具の連結部に支承すると共に、下部分を他側金具の連結部に支承して一側金具と他側金具を回動自在に連結し、前記一側金具の連結部及び他側金具の連結部が軸部品に対して移動可能又は前記他側金具の連結部が軸部品に対して移動可能としたヒンジ、
前記軸部品の上部分に取付けられて、その上部分と一側金具の連結部を覆う一側カバー、
前記軸部品の下部分に取付けられて、その下部分と他側金具の連結部を覆う他側カバー、を備え、
前記一側カバー及び他側カバーが一側金具の連結部、他側金具の連結部に対してそれぞれ移動可能又は他側カバーが他側金具の連結部に対して移動可能であることを特徴とするヒンジ装置。
【請求項３】
一側カバーと他側カバーは樹脂からなり、その樹脂の弾性によって軸部品に嵌合する軸部品支承部を有する請求項１又は２記載のヒンジ装置。
【請求項４】
一側カバー、他側カバーは、連結部が挿通する開口部を有するカバー本体と、この開口部を開閉すると共に、カバー本体に一体的に設けた蓋体より成る請求項１又は２記載のヒンジ装置。
【発明の詳細な説明】
【０００１】
【発明の属する技術分野】
本発明は、主として建物の出入口に扉を開閉自在に取付けるヒンジと、そのヒンジに取付けたカバーを備えたヒンジ装置に関する。
【０００２】
【従来の技術】
建物の出入口に扉を開閉自在に取付けるヒンジは種々のものが提案されている。
例えば、建物の出入口に取付ける取付部と連結部を有する建物側金具と、扉に取付ける取付部と連結部を有する扉側金具と、その建物側金具の連結部と扉側金具の連結部を回動自在に連結する軸部品を備えたヒンジが知られている。
前記建物側金具の取付部が建物の出入口、例えば扉枠にビス等で取付けられて連結部が扉枠よりも室外側に突出し、前記扉側金具の取付部が扉にビス等で取付けられて連結部が扉よりも室外側に突出することで、扉が枠体にヒンジで開閉自在に取付けられる。
【０００３】
前述のように、ヒンジの建物側金具、扉側金具の各連結部が扉枠、扉よりも突出するので、扉取付部分の見栄えが悪くなる。
このことを解消するために、ヒンジの各連結部にカバーを取付けることで扉取付部分の見栄えを良くしたヒンジ装置が提案されている。
例えば、特開平７−１５０８５１号（特許第２５７８３１１号）公報や、特開平９−１３７８３号（特許第３０５４９２４号）公報に示すように、建物側金具の連結部と扉側金具の連結部にカバーをビスでそれぞれ取付けたヒンジ装置が提案されている。
【０００４】
【発明が解決しようとする課題】
前述のように、扉枠に扉をヒンジで取付ける場合には扉枠に対して扉が左右方向、室内外（前後）側方向に傾くことがない正常な状態で取付けることが重要で、このために建付け調整機能を有するヒンジが提案されている。
例えば、建物側金具の連結部に軸部品を左右方向に移動可能に支承すると共に、調整用ビスを螺合し、扉側金具の連結部に軸部品を室内外方向に移動可能に支承すると共に、調整用ビスを螺合した建付け調整機能を有するヒンジが提案されている。
【０００５】
前述の建付け調整機能を有するヒンジに、カバーを前述のようにして取付けることで、前述の調整用ビスが見えなくなるから扉取付部分の見栄えが向上する。しかしながら、カバーが各連結部に取付けてあるので、建付け調整した時に建物側金具のカバーと扉側金具のカバーが位置ずれしてしまうから、見栄えが悪くなる。例えば、建物側金具の連結部に対して軸部品を左右一方に移動すると、軸部品とともに扉側金具が、その建物側金具の連結部に対して左右一方に移動するので、建物側金具のカバーに対して扉側金具のカバーが左右一方に移動して各カバーが左右方向にずれ、見栄えが悪くなる。
【０００６】
本発明は前述の課題を解決するためになされたものであって、建付け調整によって一側カバーと他側カバーが相互に位置ずれしないヒンジ装置を提供することを目的とする。
【０００７】
【課題を解決するための手段】
第１の発明は、取付部と連結部を有する一側金具と、取付部と連結部を有する他側金具と、下部分と上部分が回転自在に連結された軸部品を有し、この軸部品の下部分を一側金具の連結部に支承すると共に、上部分を他側金具の連結部に支承して一側金具と他側金具を回動自在に連結し、前記一側金具の連結部及び他側金具の連結部が軸部品に対して移動可能又は前記他側金具の連結部が軸部品に対して移動可能としたヒンジ、
前記軸部品の下部分に取付けられて、その下部分と一側金具の連結部を覆う一側カバー、
前記軸部品の上部分に取付けられて、その上部分と他側金具の連結部を覆う他側カバー、を備え、
前記一側カバー及び他側カバーが一側金具の連結部、他側金具の連結部に対してそれぞれ移動可能又は他側カバーが他側金具の連結部に対して移動可能であることを特徴とするヒンジ装置である。
第２の発明は、取付部と連結部を有する一側金具と、取付部と連結部を有する他側金具と、下部分と上部分が回転自在に連結された軸部品を有し、この軸部品の上部分を一側金具の連結部に支承すると共に、下部分を他側金具の連結部に支承して一側金具と他側金具を回動自在に連結し、前記一側金具の連結部及び他側金具の連結部が軸部品に対して移動可能又は前記他側金具の連結部が軸部品に対して移動可能としたヒンジ、
前記軸部品の上部分に取付けられて、その上部分と一側金具の連結部を覆う一側カバー、
前記軸部品の下部分に取付けられて、その下部分と他側金具の連結部を覆う他側カバー、を備え、
前記一側カバー及び他側カバーが一側金具の連結部、他側金具の連結部に対してそれぞれ移動可能又は他側カバーが他側金具の連結部に対して移動可能であることを特徴とするヒンジ装置である。
【０００８】
第３の発明は、第１又は第２の発明において一側カバーと他側カバーは樹脂からなり、その樹脂の弾性によって軸部品に嵌合する軸部品支承部を有するヒンジ装置である。
【０００９】
第４の発明は、第１又は第２の発明において一側カバー、他側カバーは、連結部が挿通する開口部を有するカバー本体と、この開口部を開閉すると共に、カバー本体に一体的に設けた蓋体より成るヒンジ装置である。
【００１０】
【作用】
第１の発明によれば、一側金具の連結部と軸部品の下部分が一側カバーで覆われ、他側金具の連結部と軸部品の上部分が他側カバーで覆われるから、外観の見栄えが良い。
軸部品に対して一側金具の連結部、他側金具の連結部を移動して建付け調整するヒンジ、又は軸部品に対して他側金具の連結部を移動して建付け調整するヒンジであっても、一側カバー、他側カバーが軸部品で支持して取付けてあると共に、その一側カバー、他側カバーに対して一側金具、他側金具の連結部が移動、又は他側カバーに対して他側金具の連結部が移動するので、前記のように建付け調整した時に一側カバーと他側カバーは相対的に移動することがなく、相互に位置がずれることがない。
第２の発明によれば、一側金具の連結部と軸部品の上部分が一側カバーで覆われ、他側金具の連結部と軸部品の下部分が他側カバーで覆われるから、外観の見栄えが良い。
軸部品に対して一側金具の連結部、他側金具の連結部を移動して建付け調整するヒンジ、又は軸部品に対して他側金具の連結部を移動して建付け調整するヒンジであっても、一側カバー、他側カバーが軸部品で支持して取付けてあると共に、その一側カバー、他側カバーに対して一側金具、他側金具の連結部が移動、又は他側カバーに対して他側金具の連結部が移動するので、前記のように建付け調整した時に一側カバーと他側カバーは相対的に移動することがなく、相互に位置がずれることがない。
【００１１】
第３の発明によれば、一側カバー、他側カバーの軸部品支承部を軸部品に嵌合することで、その一側カバー、他側カバーを取付けできる。
よって、一側カバー、他側カバーを簡単に取付けできると共に、ビス等が不要であるから、コストが安い。
【００１２】
第４の発明によれば、蓋体を開放することで一側カバー、他側カバーのカバー本体を容易に取付けできると共に、取付けた後に蓋体を閉じることで各連結部と軸部品を覆うことができる。
【００１３】
【発明の実施の形態】
（扉開口装置）
図１に示すように、建物の出入口、例えば建物の開口部１に取付けた扉枠２と、この扉枠２に下ヒンジ３と上ヒンジ４で開閉自在に取付けた扉５で扉開口装置を形成している。
前記扉枠２は、上枠２ａと下枠２ｂと左右の縦枠２ｃを枠組みしてある。
【００１４】
前記下ヒンジ３は図２に示すように、一方の縦枠２ｃの下部寄りに取付けた一側金具３ａと、扉５の下部寄りに取付けた他側金具３ｂと、この一側金具３ａと他側金具３ｂを回動自在に連結する軸部品３ｃを備えている。
一側金具３ａが下で、他側金具３ｂが上となる。
一側金具３ａに一側カバー６を取付け、他側金具３ｂに他側カバー７を取付けて下のヒンジ装置とする。
【００１５】
前記上ヒンジ４は図２に示すように、一方の縦枠２ｃの上部寄りに取付けた一側金具４ａと扉５の上部寄りに取付けた他側金具４ｂと、この一側金具４ａと他側金具４ｂを回動自在に連結する軸部品４ｃを備えている。
一側金具４ａが上で、他側金具４ｂが下となる。
一側金具４ａに一側カバー８を取付け、他側金具４ｂに他側カバー９を取付けて上のヒンジ装置とする。
【００１６】
（下ヒンジ３の概略説明）
前記下ヒンジ３の一側金具３ａは図３に示すように、取付部１０と連結部１１を有する。この取付部１０が図４に示すように一方の縦枠２ｃにボルト等の固着具で取付けられ、連結部１１が一方の縦枠２ｃよりも室外側に突出する。
前記下ヒンジ３の他側金具３ｂは図３に示すように、取付部１２と連結部１３を有する。この取付部１２が図５に示すように扉５の端面５ａにボルト等の固着具で取付けられ、連結部１３が扉５よりも室外側に突出する。
【００１７】
前記下ヒンジ３の軸部品３ｃは図３に示すように、下軸部品１４と上軸部品１５を有し、その下軸部品１４と上軸部品１５が回転自在で着脱自在に連結され、かつ、上軸部品１５の荷重を下軸部品１４で支承する。
前記下軸部品１４が軸部品３ｃの下部分で、上軸部分１５が軸部品３ｃの上部分である。
【００１８】
前記下軸部品１４（軸部品３ｃの下部分）が図３に示すように、一側金具３ａの連結部１１に左右方向に移動可能に支承され、調整用ねじ１６を締付け、弛めることで左右方向に移動する。左右方向とは扉枠２の左右の縦枠２ｃ方向である。
この下軸部品１４の下部は連結部１１よりも下方に突出し、上部は連結部１１よりも上方に突出している。
【００１９】
前記上軸部品１５（軸部品３ｃの上部分）が図３に示すように、他側金具３ｂの連結部１３に前後方向に移動可能に支承され、調整用ねじ１７を締付け、弛めることで前後方向に移動する。前後方向とは扉枠２の室内外側方向である。
この上軸部品１５の下部は連結部１３よりも下方に突出し、上部は連結部１３よりも上方に突出する。
【００２０】
前記下軸部品１４の上部と上軸部品１５の下部を回転自在で、かつ着脱自在に連結することで、前記一側金具３ａと他側金具３ｂが回転自在に連結されると共に、他側金具３ｂの荷重（扉５の重量）を一側金具３ａ（扉枠２の縦枠２ｃ）で支承し、下ヒンジ３を形成する。
また、調整用ねじ１６を締付け、弛めることで扉５が左右方向に移動し、調整用ねじ１７を締付け、弛めることで扉５が前後方向に移動するので、扉５を左右方向及び前後方向に建付け調整できる。
【００２１】
（下ヒンジ３の具体形状）
前記一側金具３ａの取付部１０は図４に示すように、縦板状で、取付用のねじ孔１０ａを有する。
前記一側金具３ａの連結部１１は図４に示すように、取付部１０と一体的に連続し、かつ矩形枠形状で、その左右方向に対向した第１縦片１１ａと第２縦片１１ｂに孔１１ｃが相対向して形成してある。
【００２２】
前記下軸部品１４、つまり軸部品３ｃの下部分は、図４に示すように下ねじ部１４ａ、中間支承部１４ｂ、上フランジ部１４ｃ、上軸部１４ｄを備え、中間支承部１４ｂに左右方向に向うねじ孔１４ｅが形成してある。
前記下軸部品１４の中間支承部１４ｂが連結部１１に図３に示すように挿入されて左右方向に摺動自在に支承される。
前記調整用ねじ１６を、第１縦片１１ａの穴１１ｃを通して中間支承部１４ｂのねじ孔１４ｅに螺合して第２縦片１１ｂの穴１１ｃより突出し、リング１６ａを嵌めてカシメることで抜け止めされる。
前記下軸部品１４の下ねじ部１４ａは連結部１１の下面よりも突出し、ワッシャ１４ｆを介してナット１４ｇが螺合される。
このナット１４ｇを締付けることで上フランジ１４ｃが連結部１１の上面に接し、下軸部品１４が連結部１１に固定される。
前記上フランジ１４ｃと上軸部１４ｄが連結部１１よりも上方に突出する。
【００２３】
前記ナット１４ｇを弛め、前記調整用ねじ１６を締付け、弛めることで下軸部品１４が連結部１１に対して左右に移動する。
この状態で下ねじ部１４ａはナット１４ｇより下方に突出する。
【００２４】
前記他側金具３ｂの取付部１２は図５に示すように、縦板状で、取付用の孔１２ａを有する。
前記他側金具３ｂの連結部１３は図５に示すように、取付部１２と一体的に連続し、かつ矩形枠形状で、その前後方向に対向した第１縦片１３ａと第２縦片１３ｂに孔１３ｃが対向して形成してある。
【００２５】
前記上軸部品１５、つまり軸部品３ｃの上部分は軸１８と回転子１９を有する。
前記軸１８は上ネジ部１８ａ、中間支承部１８ｂ、下フランジ部１８ｃ、下ねじ部１８ｄを有し、その中間支承部１８ｂに前後方向に向うねじ孔１８ｅが形成してある。
前記回転子１９は矩形上部１９ａと円形下部１９ｂを有し、上ねじ孔１９ｃと下支承孔１９ｄを同心状に有する。
前記軸１８の下ねじ部１８ｄと回転子１９の上ねじ孔１９ｃが図３に示すように螺合して軸１８の下部に回転子１９が連結され、上軸部品１５を形成する。
【００２６】
前記軸１８の中間支承部１８ｂが図３に示すように連結部１３に挿入されて前後方向に摺動自在に支承される。
前記調整用ねじ１７を、第１縦片１３ａの穴１３ｃを通して中間支承部１８ｂのねじ孔１８ｅに螺合して第２縦片１３ｂの穴１３ｃより突出し、リング１７ａを嵌めてカシメることで抜け止めされる。
前記軸１８の上ねじ部１８ａは連結部１３の上面よりも突出し、ワッシャ１８ｆを介してナット１８ｇが螺合され、このナット１８ｇを締付けることで下フランジ部１８ｃが連結部１３の下面に押しつけられ、軸１８（上軸部品１５）が連結部１３に固定される。
前記回転子１９が連結部１３の下面よりも下方に突出する。
【００２７】
前記ナット１８ｇを弛め、前記調整用ねじ１７を締付け、弛めることで軸１８と回転子１９（上軸部品１５）が連結部１３に対して前後に移動する。
この状態で、上ネジ部１８ａはナット１８ｇよりも上方に突出する。
【００２８】
前記回転子１９の下支承孔１９ｄが図３に示すように下軸部品１４の上軸部１４ｄに回転可能に嵌合して上フランジ部１４ｃに直接又は摺動ワッシャ１４ｈを介して接し、一側金具３ａと他側金具３ｂが回動自在に連結されて扉５が縦枠２ｃに回動自在に支承されると共に、他側金具３ｂの荷重が一側金具３ａで支承されて扉５の重量が縦枠２ｃで支持される。
前述の状態で、回転子１９を回転することで下軸部品１４に対して軸１８が上下に移動するので、一側金具３ａに対して他側金具３ｂが上下に移動して扉５の高さを調整できる。この場合には軸１８の下フランジ部１８ｃと回転子１９の上面との間にスペーサを入れる。
また、調整用ねじ１６を締付け、弛めることで扉５を左右方向に建付け調整できる。
また、調整用ねじ１７を締付け、弛めることで扉５を前後方向に建付け調整できる。
【００２９】
（カバーの説明）
図６に示すように、一側カバー６と他側カバー７は平面形状が略同一で、一側カバー６の上に他側カバー７が重なるように取付けられ、その一側カバー６と他側カバー７は一体的な外観である。
前記一側カバー６は下軸部品１４の下部と上部、つまり軸部品３ｃの下部と上下中間部に取付け（支持）されて一側金具３ａの連結部１１と下軸部品１４と調整用ねじ１６をカバーすると共に、この一側カバー６と連結部１１は建付け調整方向（例えば左右方向）に相対的に移動可能である。
前記他側カバー７は上軸部品１５の下部と上部、つまり軸部品３ｃの上部と上下中間部に取付け（支持）られて他側金具３ｂの連結部１３と上軸部品１５と調整用ねじ１７をカバーすると共に、この他側カバー７と連結部１３は建付け調整方向（例えば、前後方向）に相対的に移動可能である。
【００３０】
このようであるから、調整用ねじ１６を締付け、弛めて下軸部品１４に対して一側金具３ａを左右方向に移動し、扉５を左右方向に建付け調整した時に、一側カバー６は下軸部品１４に対して左右に移動しない。
よって、一側カバー６と他側カバー７が左右方向にずれることがない。
【００３１】
調整用ねじ１７を締付け、弛めて上軸部品１５に対して他側金具３ｂを前後方向に移動し、扉５を前後方向に建付け調整した時に、他側カバー７は上軸部品１５に対して前後に移動しない。
よって、一側カバー６と他側カバー７が前後方向にずれることがない。
【００３２】
（一側カバー６の具体形状）
図７に示すように、一側カバー６は周面板２１と上面板２２と下面板２３で囲まれ、一側金具３ａの取付部１０と連結部１１が挿通する大きさの開口部２４を有する略筒状のカバー本体２５と、その開口部２４の一部を開閉する蓋体２６を有する略箱状である。
前記蓋体２６を閉じると開口部２４が小さくなって、取付部１０のみが挿通する大きさとなる。
この一側カバー６は樹脂、例えばポリプロピレンである。
【００３３】
前記周面板２１は連結部１１よりも大きな略円筒状である。
前記上面板２２は周面板２１の上縁部に一体的に設けた略円板形状で、軸部品上下中間部支持部２７を有する。
この軸部品上下中間部支持部２７は、前記下軸部品１４における連結部１１の上面から突出した上部、例えば上フランジ部１４ｃが嵌まり合う略円形穴部２７ａと、この略円形穴部２７ａの一部を上面板２２の外周縁に開口させる切欠部２７ｂを有する。前記略円形穴部２７ａの開口寸法Ａは上フランジ部１４ｃの径よりも小さく、切欠部２７ｂの開口寸法Ｂは上フランジ部１４ｃの径よりも大きい。
前記切欠部２７ｂを通して上フランジ部１４ｃに略円形穴部２７ａを押し込むことで、樹脂の弾性で若干拡開し、図８に示すようにその略円形穴部２７ａが上フランジ部１４ｃにしっかりと嵌合する。
前記略円形穴部２７ａの開口寸法Ａは上フランジ部１４ｃの径と同じであっても良い。
【００３４】
前記下面板２３は周面板２１の下縁部に沿って一体的に設けた略円板形状で、軸部品下部支持部２８を有する。
この軸部品下部支持部２８は、略中央部の支持凹部２８ａと、この支持凹部２８ａの一部と下面板２３の外周縁とに亘って形成したガイド部２８ｂを有する。
前記ガイド部２８ｂは、下軸部品１４の下ねじ部１４ａの径と略同一幅の溝状で、前記支持凹部２８ａは前記下ねじ部１４ａの径と略同径の略円形状であると共に、開口寸法Ｃは、下ねじ部１４ａの径よりも小さい。この開口寸法Ｃは下ねじ部１４ａの径と同じであっても良い。
【００３５】
前記蓋体２６は周面板２１と一体的で、この蓋体２６とカバー本体２５に亘って閉じ位置においてカバー本体２５に係脱自在に支持する支持部２９が設けてある。
例えば、蓋体２６の上縁と下縁に突片２９ａをそれぞれ一体的に形成し、上面板２２、下面板２３に係合溝部２９ｂをそれぞれ形成し、各突片２９ａを各係合溝部２９ｂに係合することで支持する。
【００３６】
（一側カバー６の取付け手順）
図２に示すように扉５を閉じ状態とし、一側金具３ａの連結部１１を扉５よりも室外側に突出する。
作業者が一側カバー６を手で持ち、蓋体２６を一方の縦枠２ｃと反対側とし、その蓋体２６を開口して開口部２４を、縦枠２ｃに取付けてある一側金具３ａの連結部１１と対向させる。
そして切欠部２７ｂと上フランジ部１４ｃ及びガイド部２８ｂと下ねじ部１４ａをそれぞれ位置合わせし、一側カバー６を連結部１１に押し込むことで略円形穴部２７ａと上フランジ部１４ｃ及び支持凹部２８ａと下ねじ部１４ａがそれぞれ嵌まり合うと共に、連結部１１の上面が上面板２２の内面に接し、一側カバー６が下軸部品１４の下部と上部、つまり軸部品３ｃの下部と上下中間部で支持されて取付けられる。下軸部品１４の上軸部１４ｄは上面板２２よりも上方に突出する。
この後に、扉５を９０度以上開き、蓋体２６を閉じる。
【００３７】
（他側カバー７の具体形状）
図９に示すように、他側カバー７は周面板３１と上面板３２と下面板３３で囲まれ、他側金具３ｂの取付部１２と連結部１３が挿通する大きさの開口部３４を有すると共に、中間板３５を備えた略筒状のカバー本体３６と、その開口部３４の一部を開閉する蓋体３７を有する略箱状である。
前記蓋体３７を閉じると開口部３４が小さくなって、取付部１２のみが挿通する大きさとなる。
この他側カバー７は樹脂、例えばポリプロピレンである。
【００３８】
前記周面板３１は連結部１３よりも大きな略円筒状で、この周面板３１は前記一側カバー６の周面板２１と平面形状が同一である。
前記上面板３２は周面板３１の上縁部に一体的に設けた略円板形状で、軸部品上部支持部３８を有する。この上面板３２は前記一側カバー６の下面板２３と同一大きさである。
この軸部品上部支持部３８は、略中央部の支持凹部３８ａと、この支持凹部３８ａの一部と上面板３２の外周縁とに亘って形成したガイド部３８ｂを有する。
前記ガイド部３８ｂは、上軸部品１５の上部、つまり軸１８の上ねじ部１８ａの径と略同一幅の溝状で、前記支持凹部３８ｂは前記上ねじ部１８ａの径と略同一径の略円形状であると共に、その開口寸法は上ねじ部１８ａの径よりも小さい。
つまり、この軸部品上部支持部３８は前記一側カバー６の軸部品下部支持部２８と同一形状である。
【００３９】
前記下面板３３は周面板３１の下縁部に一体的に設けた略円板状で、この下面板３３は前記一側カバー６の上面板２２と同一大きさであ。
前記下面板３３は軸部品上下中間部支持部３９を有する。
この軸部品上下中間部支持部３９は、前記上軸部品１５の下部、つまり、回転子１９の円形下部１９ｂが嵌まり合う略円形穴部３９ａと、この略円形穴部３９ａの一部を下面板３３の外周面に開口する切欠部３９ｂを有する。前記略円形穴部３９ａの開口寸法Ｄは円形下部１９ｂの径よりも小さく、切欠部３９ｂの開口寸法Ｅは円形下部１９ｂの径よりも大きい。
前記切欠部３９ｂを通して回転子１９の円形下部１９ｂに略円形穴部３９ａを押し込むことで樹脂の弾性で若干拡開し、その略円形穴部３９ａが円形下部１９ｂにしっかりと嵌合する（図１０参照）。前記略円形穴部３９ａの開口寸法Ｄは円形下部１９ｂの径と同じであっても良い。
つまり、この軸部品上下中間部支持部３９は前記一側カバー６の軸部品上下中間部支持部２７と同一形状である。
【００４０】
前記中間板３５には軸部品補助支持部４０が形成してある。
この軸部品補助支持部４０は、前記軸部品上下中間部支持部３９と同様に略円形穴部４０ａ、切欠部４０ｂを有する。
この軸部品補助支持部４０は上軸部品１５の上下中間部、つまり軸１８の下フランジ部１８ｃに前述と同様にして嵌合する。
【００４１】
前記蓋体３７は周面板３１と一体的で、この蓋体３７とカバー本体３６に亘って閉じ位置においてカバー本体３６に係脱自在に支持する支持部４１が設けてある。
例えば、蓋体３７の上縁と下縁に突片４１ａをそれぞれ一体的に形成し、上面板３２、下面板３３に係合溝４１ｂをそれぞれ形成し、各突片４１ａを各係合溝部４１ｂに係合することで支持する。
【００４２】
すなわち、他側カバー７は一側カバー６を上下反転し、中間板３５を設けた形状である。
【００４３】
（他側カバー７の取付け手順）
図２に示すように扉５を閉じた状態とし、他側金具３ｂの連結部１３を扉５よりも室外側に突出する。
作業者が他側カバー７を手で持ち、蓋体３７を一方の縦枠２ｃ側とし、その蓋体３７を開口して開口部３４を、扉５に取付けてある他側金具３ｂの連結部１３と対向させる。
そして、ガイド部３８ｂと上ねじ部１８ａ、切欠部３９ｂと円形下部１９ｂ、切欠部４０ｂと下フランジ部１８ｃをぞれぞれ位置合わせする。
他側カバー７を連結部１３に押し込むことで支持凹部３８ａと上ねじ部１８ａ、略円形穴部３９ａと円形下部１９ｂ、略円形穴部４０ａと下フランジ部１８ｃがそれぞれ嵌まり合うと共に、連結部１３の下面が中間板３５に接し、他側カバー７が上軸部品１５の上部、上下中間部、下部、つまり軸部品３ｃの上部、上下中間部で支持されて取付けられる。
円形下部１９ｂの下面、つまり上軸部品１５の下面は下面板３３の下面と面一で、この下面板３３が一側カバー６の上面板２２と対向する。
この後に、扉５を９０度以上上開き、蓋体３７を閉じる。
【００４４】
（上ヒンジ４の説明）
上ヒンジ４の一側金具４ａは、図１１に示すように取付部４０と連結部４１を有し、その取付部４０が一方の縦枠２ｃに取付けられ、連結部４１が縦枠２ｃよりも室外側に突出する。
上ヒンジ４の他側金具４ｂは取付部４２と連結部４３を有し、その取付部４２が扉５の端面５ａに取付けられ、連結部４３が扉５よりも室外側に突出する。
上ヒンジ４の軸部品４ｃは上軸部品４４と下軸部品４５を有する。
【００４５】
前記一側金具４ａは下ヒンジ３の一側金具３ａと同様の形状である。上軸部品４４は下ヒンジ３の下軸部品１４を上下反転した形状で、上ねじ部４４ａにナット４４ｂを螺合することで下フランジ部４４ｃを連結部４１の下面に押しつけて取付けられる。この下軸部品４４の下軸部４４ｄは長尺である。
また、調整用ねじ４６を締付け、弛めることで連結部４１に対して上軸部品４４が左右方向に移動する。
【００４６】
上ヒンジ４の一側金具４ａに取付ける一側カバー８は、前記下ヒンジ３の一側カバー６を上下反転した形状で、前記上ねじ部４４ａ、下フランジ部４４ｃに嵌め合わせて支持されることで取付けられる。
【００４７】
前記他側金具４ｂの連結部４３は平面略コ字形状である。
下軸部品４５は横片４５ａと両側立上り片４５ｂと一端立上り片４５ｃを備え、その両側立上り片４５ｂを連結部４３に下から嵌め込み、長孔４５ｄからビス４５ｅを連結部４３に螺合して取付けられる。
前記上軸部品４４の下軸部４４ｄは横片４５ａの孔４５ｆに嵌合し、下フランジ部４４ｃが連結部４３の上面に接して一側金具４ａと他側金具４ｂが回動自在に連結される。
【００４８】
連結部４３に螺合した調整用ねじ４７を締付け、弛めることで下軸部４４ｄとともに下軸部品４５が前後方向に移動可能である。
よって、ビス４５ｅを弛めて調整用ねじ４７を締付け、弛めることで下軸部品４５が連結部４３に対して前後方向に移動する。
【００４９】
前記上ヒンジ４の他側金具４ｂに取付ける他側カバー９は図１２に示すように、前記下ヒンジ３の一側カバー６と略同様であるが、その上面板２２には前記上軸部品４４の下軸部４４ｄが挿通する切欠部４８のみが形成され、下面板２３は平板状である。
図１３に示すように、蓋体２６をビス４９で下軸部品４５の一端立上り片４５ｃに固定して取付ける。
【００５０】
（他の実施の形態）
前記下ヒンジ３の一側カバー６、他側カバー７及び上ヒンジ４の一側カバー８、他側カバー９における開口部２４，３４を大きくすると共に、蓋体２６，３７を大きくし、その蓋体２６，２７を開放することで調整用ねじ１６，１７，４６，４７が露出するようにしても良い。
このようにすれば、各カバーを取付けた状態で蓋体２６，３７を開放することによって、各開口部から工具を入れてナットを弛め、各調整用ねじ１６，１７，４６，４７を締付け、弛めして左右方向、前後方向に建付け調整できる。
また、下ヒンジ３の他側カバー７の蓋体３７を開放することで開口部３４から工具を入れ、ナット１８ｇ、調整用ビス１７を締付け、弛めできると共に、回転子１９を回転できる。
よって、他側カバー７を取付けた状態で上下方向の建付け調整ができる。
【００５１】
例えば、図１４に示すように開口部３４を大きくし、蓋体３７の開閉部３７ａを軸部品上部支持部３８、軸部品上下中間部支持部３９の中心を越えた大きさとすることで、蓋体３７を開放することで調整用ねじ１７が開口部３４に露出する。
【００５２】
前記蓋体２６，３７を係脱自在に支持する支持部２９，４１は、蓋体２６，３７の内面と上面板の内面、又は蓋体２６，３７の内面と周面板２１，３１の内面に設けても良い。
例えば、図１５に示すように蓋体２６の内面に係止片２９ｃを儲け、上面板２２の内面に係止受片２９ｄを設ける。
蓋体２６を閉じると係止片２９ｃと係止受片２９ｄが係合して蓋体２６を閉じ位置で支持する。
【００５３】
図１６に示すように、蓋体２６の内面に係止片２９ｅを設け、周面板２１の内面に上下一対の係止受片２９ｆを設ける。
蓋体２６を閉じると係止片２９ｅが一対の係止受片２９ｆ間に入り込んで係合し、蓋体２６を閉じ位置で支持する。
【００５４】
前記蓋体２６，３７をカバー本体２５，３６と別体とし、前述の支持部２９，４１又はビスで取付けるようにしても良い。
例えば、図１７に示すように蓋体２６を周面板２１と別体とし、蓋体２６の上下端面に一対の突片２９ａを設け、上面板２２、下面板２３に一対の係合溝２９ｂを形成する。
前記各突片２９ａを各係合溝２９ｂに係合することで蓋体２６を取付ける。
【００５５】
図１８に示すように、周面板２１に第１の開口部２４−１と第２の開口部２４−２を形成し、その第１の開口部２４−１から連結部１１に嵌め込むようにすると共に、第２の開口部２４−２から工具を入れて調整用ねじ１６を締付け、弛めする。
蓋体２６は、前記第１の開口部２４−１の一部分と第２の開口部２４−２を閉塞する大きさの略半円形状で、カバー本体２５の周面板２１に嵌め込むことで取付ける。
この蓋体２６とカバー本体２５は前述の支持部２９で支持しても良いし、ビスで支持しても良い。
【００５６】
前記各カバーは軸部品に嵌合して支持することで取付けしたが、各カバーを軸部品にビス止めして取付けても良い。
例えば、図１９に示すように下ヒンジ３の他側金具３ｂに支承された軸１８の上ねじ部１８ａの端面にビス穴５０を形成する。
他側カバー７の上面板３２の略中央部（支持凹部３８ａ）に透孔５１を形成する。
図２０に示すように、透孔５１からビス５２をビス穴５０に螺合して取付ける。
この場合には、他側カバー７に軸部品上部支持部３８、軸部品上下中間部支持部３９を形成しなくとも良い。
【００５７】
前述のヒンジは一側金具が軸部品の上下一方部に対して左右方向に移動し、この軸部品の上下他方部に対して他側金具が前後方向に移動することで建付け調整するタイプであるから、一側カバー、他側カバーを軸部品の上下一方部、上下他方部に支持して取付けしたが、軸部品の上下一方部が一側金具に移動しないように支持され、この軸部品の上下他方部に対して他側金具が左右方向、前後方向に移動することで建付け調整するタイプのヒンジの場合には、一側カバー、他側カバーを軸部品の上下他方部にそれぞれ支持して取付ければ良い。
【００５８】
例えば、図２１に示すように扉枠２に取付けられる一側金具３ａの連結部１１に下軸部品６０が移動しないように取付けられ、扉５に取付けられた他側金具３ｂの連結部１３に上軸部品６１の筒状の外側部材６１ａが左右方向及び前後方向に移動可能に取付け、その上軸部品６１の外側部材６１ａに回転自在に支承した筒状の内側部材６１ｂを下軸部品６０に嵌合連結したヒンジとする。
このヒンジによれば、上軸部品６１に対して他側金具３ｂを左右方向及び前後方向に移動することで、扉枠２に対して扉５が左右方向及び前後方向に移動し、建付け調整できる。
【００５９】
一側カバー６は、一側金具３ａの連結部１１と略同様な平面形状の上面板６２と下面板６３を側面板６４で連続して側面の一部に連結部１１が挿通する開口部６５を有する形状で、その上面板６２に軸部品支承部６６が形成してある。
他側カバー７は、他側金具３ｂの連結部１３と略同様な平面形状の上面板６７と下面板６８を側面板６９で連続して側面の一部に連結部１３が挿通する開口部７０を有する形状で、その下面板６８に軸部品支承部７１が形成してある。
この一側カバー６、他側カバー７は樹脂、例えばポリプロピレンである。
【００６０】
前記一側カバー６の軸部品支承部６６、他側カバー７の軸部品支承部７１は、前記上軸部品６１の外側部材６１ａが嵌め込みされる略円形穴部６６ａ，７１ａと、その略円形穴部６６ａ，７１ａの一部を一側面に開口する切欠部６６ｂ，７１ｂを有する。つまり、前記軸部品上下中間部支持部２７と同様である。
よって、前述と同様に開口部６５，７０を一側金具３ａ、他側金具３ｂの連結部１１，１３と対向させ、押し込むことで上軸部品６１の外側部材６１ａに各略円形穴部６６ａ，７１ａが嵌合して一側カバー６、他側カバー７が図２２に示すように取付けられる。
【００６１】
このようにすれば、一側カバー６、他側カバー７が軸部品（上軸部品６１）で支持されているから、前述のように建付け調整しても一側カバー６と他側カバー７がずれることがない。
【００６２】
【発明の効果】
請求項１に係る発明によれば、一側金具の連結部と軸部品の下部分が一側カバーで覆われ、他側金具の連結部と軸部品の上部分が他側カバーで覆われるから、外観の見栄えが良い。
軸部品に対して一側金具の連結部、他側金具の連結部を移動して建付け調整するヒンジ、又は軸部品に対して他側金具の連結部を移動して建付け調整するヒンジであっても、一側カバー、他側カバーが軸部品で支持して取付けてあると共に、その一側カバー、他側カバーに対して一側金具、他側金具の連結部が移動、又は他側カバーに対して他側金具の連結部が移動するので、前記のように建付け調整した時に一側カバーと他側カバーは相対的に移動することがなく、相互に位置がずれることがない。
請求項２に係る発明によれば、一側金具の連結部と軸部品の上部分が一側カバーで覆われ、他側金具の連結部と軸部品の下部分が他側カバーで覆われるから、外観の見栄えが良い。
軸部品に対して一側金具の連結部、他側金具の連結部を移動して建付け調整するヒンジ、又は軸部品に対して他側金具の連結部を移動して建付け調整するヒンジであっても、一側カバー、他側カバーが軸部品で支持して取付けてあると共に、その一側カバー、他側カバーに対して一側金具、他側金具の連結部が移動、又は他側カバーに対して他側金具の連結部が移動するので、前記のように建付け調整した時に一側カバーと他側カバーは相対的に移動することがなく、相互に位置がずれることがない。
【００６３】
請求項３に係る発明によれば、一側カバー、他側カバーの軸部品支承部を軸部品に嵌合することで、その一側カバー、他側カバーを取付けできる。
よって、一側カバー、他側カバーを簡単に取付けできると共に、ビス等が不要であるから、コストが安い。
【００６４】
請求項４に係る発明によれば、蓋体を開放することで一側カバー、他側カバーのカバー本体を容易に取付けできると共に、取付けた後に蓋体を閉じることで各連結部と軸部品を覆うことができる。
しかも、蓋体はカバー本体に一体的に設けてあるから、一側カバー、他側カバーを容易に取付けできる。
【図面の簡単な説明】
【図１】扉開口装置の概略外観図である。
【図２】扉枠に扉を取付けた部分の斜視図である。
【図３】下ヒンジの縦断面図である。
【図４】下ヒンジの一側金具と下軸部品の分解斜視図である。
【図５】下ヒンジの他側金具と上軸部品の分解斜視図である。
【図６】下ヒンジにカバーを取付けた下のヒンジ装置の斜視図である。
【図７】一側金具と一側カバーの斜視図である。
【図８】一側カバーの取付け状態の斜視図である。
【図９】他側金具と他側カバーの斜視図である。
【図１０】他側カバーの取付け状態の斜視図である。
【図１１】上ヒンジの分解斜視図である。
【図１２】上ヒンジの他側金具と他側カバーの斜視図である。
【図１３】他側カバーの取付け状態の斜視図である。
【図１４】他側カバーの開口部を大きくした実施の形態を示す斜視図である。
【図１５】一側カバーの支持部の第２の実施の形態を示す斜視図である。
【図１６】一側カバーの支持部の第３の実施の形態を示す斜視図である。
【図１７】蓋体を別体とした実施の形態を示す一側カバーの斜視図である。
【図１８】蓋体を別体とした実施の形態を示す一側カバーの斜視図である。
【図１９】他側カバーをビス止めする実施の形態を示す他側金具と他側カバーの斜視図である。
【図２０】取付け状態の斜視図である。
【図２１】異なる形態のヒンジとカバーの分解斜視図である。
【図２２】カバー取付け状態の斜視図である。
【符号の説明】
２…扉枠、３…下ヒンジ、３ａ…一側金具、３ｂ…他側金具、３ｃ…軸部品、４…上ヒンジ、４ａ…一側金具、４ｂ…他側金具、４ｃ…軸部品、５…扉、６…一側カバー、７…他側カバー、８…一側カバー、９…他側カバー、１０…取付部、１１…連結部、１２…取付部、１３…連結部、１４…下軸部品、１５…上軸部品、１６…調整用ねじ、１７…調整用ねじ、２４…開口部、２５…カバー本体、２６…蓋体、３４…開口部、３６…カバー本体、３７…蓋体、５１…ビス、６０…下軸部品、６１…上軸部品、６４…開口部、７０…開口部。
【図１】
0003742987.tif 000002
【図２】
0003742987.tif 000003
【図３】
0003742987.tif 000004
【図４】
0003742987.tif 000005
【図５】
0003742987.tif 000006
【図６】
0003742987.tif 000007
【図７】
0003742987.tif 000008
【図８】
0003742987.tif 000009
【図９】
0003742987.tif 000010
【図１０】
0003742987.tif 000011
【図１１】
0003742987.tif 000012
【図１２】
0003742987.tif 000013
【図１３】
0003742987.tif 000014
【図１４】
0003742987.tif 000015
【図１５】
0003742987.tif 000016
【図１６】
0003742987.tif 000017
【図１７】
0003742987.tif 000018
【図１８】
0003742987.tif 000019
【図１９】
0003742987.tif 000020
【図２０】
0003742987.tif 000021
【図２１】
0003742987.tif 000022
【図２２】
0003742987.tif 000023